(57)【要約】【課題】化粧筆の使用後の処置において洗浄から乾燥と保管に至る作業に対し理想的な取り扱いがされていない。洗浄後、毛先を上に向けて空のコップに立てて放置したり未乾燥のうちにポーチで簀巻きにして持ち歩くなどの為、毛先が変形する、口金付近が乾燥できず軸が腐食する、雑菌が繁殖して筆の腰部分が変形したり脱毛し、人体へも悪影響がある。本発明は以上の諸問題を解決する。【解決手段】本体部とカバー部とで構成されており、本体部は筆の毛先を下に向けて洗浄液に任意の深さまで浸漬できる高さ位置調整可能な構造を持ち、保管用の軸は市販の殆どの化粧筆を毛先を下向きにして容易に取付け・取外しが出来る構造の為、洗浄と保管、さらに日常の出し入れが容易に出来るものである。カバー部は本体部の上から被せて使用し、電源を入れると送風ファンが回り、同時にＵＶ照射器が紫外線を照射するので乾燥と殺菌効果がある。【選択図】図１
2016087365.tif 000002
【特許請求の範囲】
【請求項１】
本発明は本体部とカバー部とに分かれており、本体部は１枚の縦長の板を垂直に立てたものが本体部の一部を構成するもので背板と呼び、背板の上半分程度の領域に複数の汎用軸を適度に配置可能とし、汎用軸とは市販の殆どの種類の化粧筆を容易に取付け・取外しが出来る構造で、取付位置を使用者が自由に位置決めできるものであり、使用者の所有する筆の種類に応じ、場所を決めることができ、化粧作業時に取外しと取付けが簡単にできるものであり、また小物棚を準備し、背板の汎用軸周辺に使用者が自由に取付けできる構造とし、背板の下方の下端領域を残した場所に背板と同幅の長さで、上下に適度な間隔をおいて１本ずつ計２本のバーを水平に取付け固定し、これを高さ設定板固定用バーと成し、この高さ設定板固定用バーに直交する形で、複数本のバーを縦に橋渡しして、これを高さ設定固定板と成し、高さ設定固定板には、背板側と反対側面の縦中央に細い溝を形成し、これを洗浄用軸スライド溝と成し、すべて上下に貫通した孔状に形設しており、この孔を洗浄用軸が上下方向に自由にスライドして位置決めするのであるが、この孔を高さ設定板スライド孔と呼称し、洗浄用軸は筆の毛先が下になるようにぶら下げた状態で洗浄液に浸漬させたまま左右に揺籃することが出来る構造となっており、背板の下端領域には洗浄液容器置台を取付け、この洗浄液容器置台に抽斗を設け、この抽斗の天井板の上に洗浄液容器が置かれ、この洗浄液容器は超音波洗浄機などによって筆洗浄を自動化できるものであっても事情は同じであり、背板の上半分域背面に鏡用ガイドレール上と鏡用ガイドレール下を設け、このガイドレールに嵌め込む形で鏡を入れ、化粧筆使用時にこのガイドレールに沿って鏡を水平に引き出し利用できるようにでき、以上を本体部とし、別に以下の機能をもつカバー部を有し、カバー部の大きさは本体部を上からすっぽり覆い被せることができる形に形成され、カバー部には上部面裏側に送風ファンを取付け上から下へ風を送るようにし、同時に紫外線照射することが出来、カバーの任意の場所に電源スイッチを設け、電源を入れている間は電源オン表示ＬＥＤ、送風ファンオン表示ＬＥＤ、ＵＶ照射器オン表示ＬＥＤを外側から見える位置に配置し、また送風ファンにより内部に送られた風の逃げ場としてカバー部の左右にメッシュ様材を用いて右側面通気孔・左側面通気孔を設け、更に紫外線照射中であることを確認しやすくする為、カバー部正面から内部が見えるように正面に前面透明窓を設置したことを特徴とする化粧筆の洗浄及び乾燥殺菌と保管の為の器具。
【発明の詳細な説明】
【技術分野】
【０００１】  本発明は化粧筆の洗浄・殺菌と保管に使う器具に関するものである。
【背景技術】
【０００２】  先行技術としては化粧筆ではないが絵筆の軸に環状のへこみのあるものを水平に設置した切込みを持たせた金属板に差し込んで吊り下げて乾燥させるものがある（文献１）。
また他には円筒状の筒の底部に洗浄用の液体等を入れて汚れた筆を手でかき回したり、網目状の板に毛先をこすり付けて汚れを落としやすくし、洗浄後はその液を捨てた後、その筒の中に筆を放置して乾燥させるようにしているものがある（文献２）。
【先行技術文献】
【特許文献】
【０００３】
【特許文献１】特許公開平８−１０８６７５  号公報
【特許文献２】特許公報２０１３−５２７０４７  号公報
【発明の概要】
【発明が解決しようとする課題】
【０００４】  これまで化粧用の筆の使用後の処置については毛先の耐久性維持や保護、或いは使う人の肌を守るということに対して理想的な洗い方・乾燥のさせ方・保管の仕方をしていない。理由はそれを可能にする使いやすい道具が提供されていなかった為である。化粧筆には毛の材質・構成・長さ・太さの種類が多く、さらにそれを保持する口金や軸も材質・形状・長さなどが実に多種類に及ぶ。これらの化粧筆は高価なものが多く、使い捨てされることはない。良質な筆・使い慣れた筆を長く愛用する為に洗浄・乾燥・保管を正しく行なうべきである。
筆は通常、手洗いした後、コップなどの空容器に毛先を上に向けた状態で立てて自然に乾燥するまで待つか、乾いた布などに挟んで大まかな水分を取る等してから携帯用のポーチに入れて簀巻にしてから保管したり持ち歩いたりするのが普通である。
しかしこれらの処置により多くの問題が発生する。例えば、洗った後に毛先を上に向けて空のコップに入れて放置すると腰の部分から口金の中に至る部分に水分が貯まったままとなり、カビが生じたり液体が腐って雑菌が繁殖する為、肌に対しては不適切であり、毛が傷んで抜ける原因になったり、毛先が広がったり、口金や軸を腐食させたりする。
ポーチのポケットに差し込んで簀巻きにして持ち歩く場合は、毛先や腰の部分が変形するほか、やはり腰の糊部分と口金付近の水分が乾かずに貯まったままとなるので、状況は前記と同様である。筆自体が１本ずつ容器に収納される方式のものは形状の変形は考えられないものの、洗浄後は一旦乾燥させてから収納しなければ問題発生の点では同様である。
前に記したとおり化粧筆の軸や毛先の部分は長さ・太さ・形状が多種であり、従来は定形品などに対する単機能のアイデアしか存在しない。
このような問題を解決する使いやすい道具が提供されていなかった為、不本意ながら筆の製造者や販売者が消費者に対して理想的な処置法を助言・啓蒙することが出来なかったと思われる。
本発明は以上の諸問題を解決するものである。
【課題を解決するための手段】
【０００５】  本発明は本体部とカバー部とに分かれる。
本体部は１枚の縦長の板を垂直に立てたものが本体部の一部を構成するもので背板と呼ぶ。背板の上半分程度の領域に複数の汎用軸を適度に配置可能とする。汎用軸とは市販の殆どの種類の化粧筆を容易に取付け・取外しが出来る構造で、取付位置を使用者が自由に位置決めできるものである。使用者の所有する筆の種類に応じ、場所を決めることができ、化粧作業時に取外しと取付けが簡単にできるものである。
また小物棚を準備し、背板の汎用軸周辺に使用者が自由に取付けできる構造とする。
背板の下方の下端領域を残した場所に背板と同幅の長さで、上下に適度な間隔をおいて１本ずつ計２本のバーを水平に取付け固定し、これを高さ設定板固定用バーと成し、この高さ設定板固定用バーに直交する形で、複数本のバーを縦に橋渡しして、これを高さ設定固定板と成す。高さ設定固定板には、背板側と反対側面の縦中央に細い溝を形成し、これを洗浄用軸スライド溝と成し、すべて上下に貫通した孔状に形設しており、この孔を洗浄用軸が上下方向に自由にスライドして位置決めするのであるが、この孔を高さ設定板スライド孔と呼称する。
洗浄用軸は筆の毛先が下になるようにぶら下げた状態で洗浄液に浸漬したまま左右に揺籃することが出来る構造となっている。
背板の下端領域には洗浄液容器置台を取付け、この洗浄液容器置台に抽斗を設け、この抽斗の天井板の上に洗浄液容器が置かれる。
この洗浄液容器は超音波洗浄機などによって筆洗浄を自動化できるものであっても事情は同じである。
背板の上半分域背面に鏡用ガイドレール上と鏡用ガイドレール下を設け、このガイドレールに嵌め込む形で鏡を入れる。化粧筆使用時にこのガイドレールに沿って鏡を水平に引き出し利用できるようにする。
以上を本体部とし、別に以下の機能をもつカバー部を有する。
カバー部の大きさは本体部を上からすっぽり覆い被せることが出来る形に形成される。
カバー部には上部面裏側に送風ファンを取付け上から下へ風を送るようにし、同時に紫外線照射することが出来る。カバーの任意の場所に電源スイッチを設ける。
電源を入れている間は電源オン表示ＬＥＤ、送風ファンオン表示ＬＥＤ、ＵＶ照射器オン表示ＬＥＤを外側から見える位置に配置する。
また送風ファンにより内部に送られた風の逃げ場としてカバー部の左右にメッシュ様材を用いて右側面通気孔・左側面通気孔を設ける。更に紫外線照射中であることを確認しやすくする為、カバー部正面から内部が見えるように正面に前面透明窓を設置する。
以上を特徴とする化粧筆の洗浄及び乾燥殺菌と保管の為の器具である。
【発明の効果】
【０００６】  この発明により市販されている大多数の種類の化粧筆に対し、その軸の長さ・太さ、毛先の長さ・太さに対応した洗浄用液への毛先の浸漬レベル調整が可能となり、また筆を取付けた状態のまま手で揺籃出来るので洗浄作業が容易になる。さらに洗浄液容器を超音波洗浄機にすると手で揺籃することなく自動的に毛先の汚れを落とすことが出来る。洗浄後、洗浄液は捨ててしまうので洗浄後の筆はそのままの位置で乾燥するまで吊り下げたままにしておくのも良いし、背板上方部の汎用軸に移動することもできる。
汎用軸でも市販されている大多数の種類の化粧筆に対し、その軸の長さ・太さ、毛先の長さ・太さに対応した高さ設定や左右の間隔設定が可能な構造であり同時に日常の化粧作業の際に外したり戻したりがしやすい構造となっているので付属の小さな鏡を引き出して使えば短時間に化粧作業を終えたいような場合の利便性が一層高くなる。
本体部の上にカバー部を被せて電源スイッチを入れることで、送風ファンが回り、ＵＶが照射されるので毛先を下に向けた状態のままで乾燥を早め且つＵＶ照射により雑菌の繁殖を抑えることで雑菌による肌荒れを防止する。高価で良質な筆、使い慣れた愛用の筆の機能を長く維持することが出来る。
最大の特長は形状の異なる複数の筆を同時に洗浄液に浸漬することができ、そのまま毛先を下に向けて送風ファンにより乾燥を促しながらＵＶ照射で雑菌の繁殖を抑えるという点であり、この発明によって多くの上述問題を解決することが可能となる。
【図面の簡単な説明】
【０００７】
【図１】本発明の本体部使用時を示すイメージ図
【図２】本発明のカバー部を示すイメージ図
【発明を実施するための形態】
【０００８】  本発明は本体部とカバー部とに分かれる。
本体部は１枚の縦長の板を垂直に立てたものが本体部の一部を構成するもので背板（２）と呼ぶ。背板の上半分程度の領域に複数の汎用軸（１）を適度に配置可能とする。汎用軸とは市販の殆どの種類の化粧筆を容易に取付け・取外しが出来る構造で、取付位置を使用者が自由に位置決めできるものである。使用者の所有する筆の種類に応じ、場所を決めることができ、化粧作業時に取外しと取付けが簡単にできるものである。
また小物棚（３）を準備し、背板（２）の汎用軸（１）周辺に使用者が自由に取付けできる構造とする。
背板（２）の下方の下端領域を残した場所に背板と同幅の長さで、上下に適度な間隔をおいて１本ずつ計２本のバーを水平に取付け固定し、これを高さ設定板固定用バー（４）と成し、この高さ設定板固定用バーに直交する形で、複数本のバーを縦に橋渡しして、これを高さ設定固定板（５）と成す。高さ設定固定板には、背板（２）側と反対側面の縦中央に細い溝を形成し、これを洗浄用軸スライド溝と成し、すべて上下に貫通した孔状に形設しており、この孔を洗浄用軸（１０）が上下方向に自由にスライドして位置決めするのであるが、この孔を高さ設定板スライド孔と呼称する。
洗浄用軸は筆の毛先が下になるようにぶら下げた状態で洗浄液に浸漬したまま左右に揺籃することが出来る構造となっている。
背板（２）の下端領域には洗浄液容器置台（８）を取付け、この洗浄液容器置台に抽斗を設け、この抽斗の天井板の上に洗浄液容器（６）が置かれる。この洗浄液容器は超音波洗浄機などによって筆洗浄を自動化できるものにしても事情は同じである。
背板（２）の上半分域背面に鏡用ガイドレール上（１２ａ）と鏡用ガイドレール下（１２ｂ）を設け、このガイドレールに嵌め込む形で鏡（１１）を入れる。化粧筆使用時にこのガイドレールに沿って鏡を水平に引き出し利用できるようにする。
以上を本体部とし、別に以下の機能をもつカバー部を有する。
大きさは本体部を上からすっぽり覆い被せることが出来る形に形成される。
カバー部には上部面裏側に送風ファン（１３）を取付け上から下へ風を送るようにし、同時に紫外線照射することが出来る。カバーの任意の場所に電源スイッチ（１５）を設ける。
電源を入れている間は電源オン表示ＬＥＤ（１６）、送風ファンオン表示ＬＥＤ（１７）、ＵＶ照射器オン表示ＬＥＤ（１８）を外側から見える位置に配置する。
また送風ファン（１３）により内部に送られた風の逃げ場としてカバー部の左右にメッシュ様材を用いて右側面通気孔（１９）・左側面通気孔（２１）を設ける。更に紫外線照射中であることを確認しやすくする為、カバー部正面から内部が見えるように正面に前面透明窓（２０）を設置する。
なお高さ設定板固定用バーや高さ設定固定板の溝方式は、左右移動・上下移動が自由に可能な方式であれば方法・構造は特に問題はない。
以上を特徴とする化粧筆の洗浄及び乾燥殺菌と保管の為の器具である。
以下主な使い方や応用などを記す。
イ、洗浄の不要な筆を背板（２）上半部の汎用軸（１）に付ける。この場合軸の長さ・太さ、毛先の長さ・太さに応じて軸の高さと隣接する筆との間隔を自由に設定できる。
ロ、出掛け前の忙しい時でも付属の鏡（１１）を見ながら容易な筆の着脱で化粧作業が出来る。
ハ、化粧に使うスポンジなど小物は小物棚（３）に置いたり、小物入れ（７）に入れることもできる。
二、何度かの筆使用で洗浄したい筆が出た場合、まず洗浄液容器置台（８）に洗浄液容器（６）を置き、容器内に洗浄液を適当量入れる。液量は定量にする必要はなく、洗浄する筆の本数や汚れの程度を考慮して毎回変わっても良い。
ホ、背板（２）下半部の洗浄用軸（１０）に洗浄したい筆を取付け、その軸の長さや毛先の長さ・汚れ程度に応じて洗浄液への浸漬度合いを高さ調整し、軸や毛の太さに応じて隣の筆との間隔を高さ設定板（５）の横位置を調整して固定する。
洗浄したい筆の種類のそれぞれの長さ・太さに合わせて洗浄用軸（１０）に複数本同時に取付けることが出来る。
ヘ、筆をしばらく洗浄液に浸漬した後、手で洗浄用軸（１０）を洗浄液中で揺籃することが出来るので汚れが落ちやすくなる。
手で筆を揺籃することが面倒な場合、又は業務としてこの発明品を利用する場合は洗浄液容器（６）を超音波洗浄機を付けたものにすることで早く容易に汚れを取ることが出来る。
ト、洗浄が終ったら洗浄液を捨て空の容器を元の洗浄液容器置台（８）に戻して落下する洗浄液滴の受け台とする。
チ、本体部の上からカバー部を被せて、電源スイッチ（１５）を入れると送風ファン（１３）が回り、洗浄した筆を自然乾燥よりも早い乾燥を促す。
リ、電源オンと同時にＵＶ照射器（１４）がカバー内を照射開始し、雑菌の繁殖を抑える効果を発揮する。
【符号の説明】
【０００９】  １    汎用軸
２    背板
３    小物棚
４    高さ設定板固定用バー
５    高さ設定板
６    洗浄液容器
７    小物入れ
８    洗浄液容器置台
９    筆
１０    洗浄用軸
１１    鏡
１２ａ  鏡用ガイドレール上
１２ｂ  鏡用ガイドレール下
１３    送風ファン
１４    ＵＶ照射器
１５    電源スイッチ
１６    電源ＯＮ表示ＬＥＤ
１７    送風ファンＯＮ表示ＬＥＤ
１８    ＵＶ照射器ＯＮ表示ＬＥＤ
１９    右側面通気孔
２０    前面透明窓
２１    左側面通気孔
【図１】
2016087365.tif 000003
【図２】
2016087365.tif 000004
【手続補正書】
【提出日】平成26年11月28日(2014.11.28)
【手続補正１】
【補正対象書類名】明細書
【補正対象項目名】０００５
【補正方法】変更
【補正の内容】
【０００５】本発明は本体部とカバー部とに分かれる。本体部は１枚の縦長の板を垂直に立てたものが本体部の一部を構成するもので背板と呼ぶ。背板の上半分程度の領域に複数の汎用軸を適度に配置可能とする。汎用軸とは市販の殆どの種類の化粧筆を容易に取付け・取外しが出来る構造で、取付位置を使用者が自由に位置決めできるものである。使用者の所有する筆の種類に応じ、場所を決めることができ、化粧作業時に取外しと取付けが簡単にできるものである。また小物棚を準備し、背板の汎用軸周辺に使用者が自由に取付けできる構造とする。  背板の下方の下端領域を残した場所に背板と同幅の長さで、上下に適度な間隔をおいて１本ずつ計２本のバーを水平に取付け固定し、これを高さ設定板固定用バーと成し、この高さ設定板固定用バーに直交する形で、複数本のバーを縦に橋渡しして、これを高さ設定固定板と成す。高さ設定固定板には、背板側と反対側面の縦中央に細い溝を形成し、これを洗浄用軸スライド溝と成し、すべて上下に貫通した孔状に形設しており、この孔を洗浄用軸が上下方向に自由にスライドして位置決めするのであるが、この孔を高さ設定板スライド孔と呼称する。洗浄用軸は筆の毛先が下になるようにぶら下げた状態で洗浄液に浸漬したまま左右に揺籃することが出来る構造となっている。また上下・左右位置設定を高さ設定板固定用バーや高さ設定固定板を使わず、磁石式・吸盤式・フック式などとクランプ具を組み合わせるなどしても、毛先を下にして吊り下げることが出来ること、洗浄液への浸漬レベルが個別に調整できること、左右幅位置が調整できること、背板との距離が調整できること等が可能であれば課題解決効果はまったく同様である。  背板の下端領域には洗浄液容器置台を取付け、この洗浄液容器置台に抽斗を設け、この抽斗の天井板の上に洗浄液容器が置かれる。この洗浄液容器は超音波洗浄機などによって筆洗浄を自動化できるものであっても事情は同じである。  背板の上半分域背面に鏡用ガイドレール上と鏡用ガイドレール下を設け、このガイドレールに嵌め込む形で鏡を入れる。化粧筆使用時にこのガイドレールに沿って鏡を水平に引き出し利用できるようにする。  以上を本体部とし、別に以下の機能をもつカバー部を有する。カバー部の大きさは本体部を上からすっぽり覆い被せることが出来る形に形成される。カバー部には上部面裏側に送風ファンを取付け上から下へ風を送るようにし、同時に紫外線照射することが出来る。カバーの任意の場所に電源スイッチを設ける。電源を入れている間は電源オン表示ＬＥＤ、送風ファンオン表示ＬＥＤ、ＵＶ照射器オン表示ＬＥＤを外側から見える位置に配置する。また送風ファンにより内部に送られた風の逃げ場としてカバー部の左右にメッシュ様材を用いて右側面通気孔・左側面通気孔を設ける。更に紫外線照射中であることを確認しやすくする為、カバー部正面から内部が見えるように正面に前面透明窓を設置する。  以上を特徴とする化粧筆の洗浄及び乾燥殺菌と保管の為の器具である。
【手続補正２】
【補正対象書類名】明細書
【補正対象項目名】０００８
【補正方法】変更
【補正の内容】
【０００８】  本発明は本体部とカバー部とに分かれる。本体部は１枚の縦長の板を垂直に立てたものが本体部の一部を構成するもので背板（２）と呼ぶ。背板の上半分程度の領域に複数の汎用軸（１）を適度に配置可能とする。汎用軸とは市販の殆どの種類の化粧筆を容易に取付け・取外しが出来る構造で、取付位置を使用者が自由に位置決めできるものである。使用者の所有する筆の種類に応じ、場所を決めることができ、化粧作業時に取外しと取付けが簡単にできるものである。  また小物棚（３）を準備し、背板（２）の汎用軸（１）周辺に使用者が自由に取付けできる構造とする。  背板（２）の下方の下端領域を残した場所に背板と同幅の長さで、上下に適度な間隔をおいて１本ずつ計２本のバーを水平に取付け固定し、これを高さ設定板固定用バー（４）と成し、この高さ設定板固定用バーに直交する形で、複数本のバーを縦に橋渡しして、これを高さ設定固定板（５）と成す。高さ設定固定板には、背板（２）側と反対側面の縦中央に細い溝を形成し、これを洗浄用軸スライド溝と成し、すべて上下に貫通した孔状に形設しており、この孔を洗浄用軸（１０）が上下方向に自由にスライドして位置決めするのであるが、この孔を高さ設定板スライド孔と呼称する。  洗浄用軸は筆の毛先が下になるようにぶら下げた状態で洗浄液に浸漬したまま左右に揺籃することが出来る構造となっている。また上下・左右位置設定を高さ設定板固定用バー（４）や高さ設定固定板（５）を使わず、磁石式・吸盤式・フック式などとクランプ具を組み合わせるなどしても、毛先を下にして吊り下げることが出来ること、洗浄液への浸漬レベルが個別に調整できること、左右幅位置が調整できること、背板（２）との距離が調整できること等が可能であれば課題解決効果はまったく同様である。  背板（２）の下端領域には洗浄液容器置台（８）を取付け、この洗浄液容器置台に抽斗を設け、この抽斗の天井板の上に洗浄液容器（６）が置かれる。この洗浄液容器は超音波洗浄機などによって筆洗浄を自動化できるものにしても事情は同じである。  背板（２）の上半分域背面に鏡用ガイドレール上（１２ａ）と鏡用ガイドレール下（１２ｂ）を設け、このガイドレールに嵌め込む形で鏡（１１）を入れる。化粧筆使用時にこのガイドレールに沿って鏡を水平に引き出し利用できるようにする。  以上を本体部とし、別に以下の機能をもつカバー部を有する。大きさは本体部を上からすっぽり覆い被せることが出来る形に形成される。カバー部には上部面裏側に送風ファン（１３）を取付け上から下へ風を送るようにし、同時に紫外線照射することが出来る。カバーの任意の場所に電源スイッチ（１５）を設ける。電源を入れている間は電源オン表示ＬＥＤ（１６）、送風ファンオン表示ＬＥＤ（１７）、ＵＶ照射器オン表示ＬＥＤ（１８）を外側から見える位置に配置する。また送風ファン（１３）により内部に送られた風の逃げ場としてカバー部の左右にメッシュ様材を用いて右側面通気孔（１９）・左側面通気孔（２１）を設ける。更に紫外線照射中であることを確認しやすくする為、カバー部正面から内部が見えるように正面に前面透明窓（２０）を設置する。なお高さ設定板固定用バーや高さ設定固定板の溝方式は、左右移動・���下移動が自由に可能な方式であれば方法・構造は特に問題はない。  以上を特徴とする化粧筆の洗浄及び乾燥殺菌と保管の為の器具である。以下主な使い方や応用などを記す。イ、洗浄の不要な筆を背板（２）上半部の汎用軸（１）に付ける。この場合軸の長さ・太    さ、毛先の長さ・太さに応じて軸の高さと隣接する筆との間隔を自由に設定できる。ロ、出掛け前の忙しい時でも付属の鏡（１１）を見ながら容易な筆の着脱で化粧作業が出    来る。ハ、化粧に使うスポンジなど小物は小物棚（３）に置いたり、小物入れ（７）に入れるこ    ともできる。二、何度かの筆使用で洗浄したい筆が出た場合、まず洗浄液容器置台（８）に洗浄液容器    （６）を置き、容器内に洗浄液を適当量入れる。液量は定量にする必要はなく、洗浄    する筆の本数や汚れの程度を考慮して毎回変わっても良い。ホ、背板（２）下半部の洗浄用軸（１０）に洗浄したい筆を取付け、その軸の長さや毛先    の長さ・汚れ程度に応じて洗浄液への浸漬度合いを高さ調整し、軸や毛の太さに応じ    て隣の筆との間隔を高さ設定板（５）の横位置を調整して固定する。    洗浄したい筆の種類のそれぞれの長さ・太さに合わせて洗浄用軸（１０）に複数本同    時に取付けることが出来る。ヘ、筆をしばらく洗浄液に浸漬した後、手で洗浄用軸（１０）を洗浄液中で揺籃すること    が出来るので汚れが落ちやすくなる。    手で筆を揺籃することが面倒な場合、又は業務としてこの発明品を利用する場合は洗    浄液容器（６）を超音波洗浄機を付けたものにすることで早く容易に汚れを取ること    が出来る。ト、洗浄が終ったら洗浄液を捨て空の容器を元の洗浄液容器置台（８）に戻して落下する    洗浄液滴の受け台とする。チ、本体部の上からカバー部を被せて、電源スイッチ（１５）を入れると送風ファン    （１３）が回り、洗浄した筆を自然乾燥よりも早い乾燥を促す。リ、電源オンと同時にＵＶ照射器（１４）がカバー内を照射開始し、雑菌の繁殖を抑える    効果を発揮する。
【手続補正３】
【補正対象書類名】特許請求の範囲
【補正対象項目名】請求項１
【補正方法】変更
【補正の内容】
【請求項１】
本発明は本体部とカバー部とに分かれており、本体部は１枚の縦長の板を垂直に立てたものが本体部の一部を構成するもので背板と呼び、背板の上半分程度の領域に複数の汎用軸を適度に配置可能とし、汎用軸とは市販の殆どの種類の化粧筆を容易に取付け・取外しが出来る構造で、取付位置を使用者が自由に位置決めできるものであり、使用者の所有する筆の種類に応じ、場所を決めることができ、化粧作業時に取外しと取付けが簡単にできるものであり、また小物棚を準備し、背板の汎用軸周辺に使用者が自由に取付けできる構造とし、背板の下方の下端領域を残した場所に背板と同幅の長さで、上下に適度な間隔をおいて１本ずつ計２本のバーを水平に取付け固定し、これを高さ設定板固定用バーと成し、この高さ設定板固定用バーに直交する形で、複数本のバーを縦に橋渡しして、これを高さ設定固定板と成し、高さ設定固定板には、背板側と反対側面の縦中央に細い溝を形成し、これを洗浄用軸スライド溝と成し、すべて上下に貫通した孔状に形設しており、この孔を洗浄用軸が上下方向に自由にスライドして位置決めするのであるが、この孔を高さ設定板スライド孔と呼称し、洗浄用軸は筆の毛先が下になるようにぶら下げた  状態で洗浄液に浸漬させたまま左右に揺籃することが出来る構造となっており、背板の下端領域には洗浄液容器置台を取付け、この洗浄液容器置台に抽斗を設け、この抽斗の天井板の上に洗浄液容器が置かれ、この洗浄液容器は超音波洗浄機などによって筆洗浄を自動化できるものであっても事情は同じであり、背板の上半分域背面に鏡用ガイドレール上と鏡用ガイドレール下を設け、このガイドレールに嵌め込む形で鏡を入れ、化粧筆使用時にこのガイドレールに沿って鏡を水平に引き出し利用できるようにでき、以上を本体部とし、別に以下の機能をもつカバー部を有し、カバー部の大きさは本体部を上からすっぽり覆い被せることができる形に形成され、カバー部には上部面裏側に送風ファンを取付け上から下へ風を送るようにし、同時に紫外線照射することが出来、カバーの任意の場所に電源スイッチを設けるが、上下・左右位置設定を高さ設定板固定用バーや高さ設定固定板を使わず、磁石式・吸盤式・フック式などとクランプ具を組み合わせるなどしても、毛先を下にして吊り下げることが出来ること、洗浄液への浸漬レベルが個別に調整できること、左右幅位置が調整できること、背板との距離が調整できること等が可能であれば課題解決効果はまったく同様であり、電源を入れている間は電源オン表示ＬＥＤ、送風ファンオン表示ＬＥＤ、ＵＶ照射器オン表示ＬＥＤを外側から見える位置に配置し、また送風ファンにより内部に送られた風の逃げ場としてカバー部の左右にメッシュ様材を用いて右側面通気孔・左側面通気孔を設け、更に紫外線照射中であることを確認しやすくする為、カバー部正面から内部が見えるように正面に前面透明窓を設置したことを特徴とする化粧筆の洗浄及び乾燥殺菌と保管の為の器具。